(57)【要約】【課題】吐水部から幅広水流を吐水する場合に、良好な製造性を得られ、手洗器の周囲への飛沫の飛び散りを抑えられる手洗装置を提供する。【解決手段】鉢部を有する手洗器２６と、便器洗浄タンクに給水するタンク給水路を給水源とする吐水装置３０と、を備え、吐水装置３０は、幅広な範囲を通る水流を吐水孔から吐水するための吐水部４８を有し、鉢部２６ａの内周壁部の一部は内周壁部の他部より背高な背高壁部２６ｇを構成し、吐水装置３０は、内周壁部の他部より背高壁部２６ｇの背高な箇所に取り付けられる。【選択図】図４
2017119987.tif 000002
【特許請求の範囲】
【請求項１】
鉢部を有する手洗器と、
便器洗浄タンクに給水するタンク給水路を給水源とする吐水装置と、を備え、
前記吐水装置は、幅広な範囲を通る水流を吐水孔から吐水するための吐水部を有し、
前記鉢部の内周壁部の一部は前記内周壁部の他部より背高な背高壁部を構成し、
前記吐水装置は、前記内周壁部の他部より前記背高壁部の背高な箇所に取り付けられることを特徴とする手洗装置。
【請求項２】
前記吐水孔は、複数の孔が線状に並べられた孔列、又は、スリットであり、
前記孔列又は前記スリットは、左右両側が前記背高壁部の正面側とは反対側となる後側に向けて延び、左右中央側が前記背高壁部の正面側となる前側に凸状の形状をなすように設けられる請求項１に記載の手洗装置。
【請求項３】
前記吐水部は、前記孔列の左右両側の孔又は前記スリットの左右両側部に挟まれた中間領域に吐水孔が形成されないように構成される請求項２に記載の手洗装置。
【請求項４】
前記吐水部は、前記中間領域に対して後側に前記吐水孔が形成されないように構成される請求項３に記載の手洗装置。
【請求項５】
前記吐水孔は、複数の孔が線状に並べられた孔列、又は、スリットであり、
前記孔列又は前記スリットは複数並んでいる請求項１〜４のいずれかに記載の手洗装置。
【請求項６】
前記吐水孔は、複数の孔が線状に並べられた孔列であり、
前記孔列は、前記背高壁部の正面側となる前側から見て前後に複数並んでおり、
前記複数の孔列のうち前後に隣り合う孔列それぞれの少なくとも一部の孔は、別々の孔列の孔が左右方向に向かって交互に位置するように千鳥状に配置される請求項１から５のいずれかに記載の手洗装置。
【請求項７】
前記吐水孔の水導出口は、前記背高壁部の上端より下側に設けられる請求項１から６のいずれかに記載の手洗装置。
【請求項８】
前記吐水装置は、前記背高壁部の上端より下側に設けられる請求項１から７のいずれかに記載の手洗装置。
【請求項９】
前記吐水装置は、水路が内部に形成される水路形成体を備え、
前記水路形成体は、
上流側水路から水が流入する通水路と、
前記通水路から流出する水を一時的に溜めて前記吐水孔から吐水するための水室と、
前記吐水部と、を有し、
前記水路形成体は、前記水路形成体の外側に配置されるカバー又は前記手洗器の何れか一方又は両方により、前記吐水部以外の範囲が覆われている請求項１から８のいずれかに記載の手洗装置。
【請求項１０】
前記吐水装置は、
上流側水路から水が流入する通水路と、
前記通水路から流出する水を一時的に溜めて前記吐水孔から吐水するための水室と、を有し、
前記通水路は、前記上流側水路から流入する水を減速させた状態で前記水室に流出させるように構成される請求項１から９のいずれかに記載の手洗装置。
【発明の詳細な説明】
【技術分野】
【０００１】
本発明は、便器装置に用いられる手洗装置に関する。
【背景技術】
【０００２】
従来より、大便器の利用後に使用者が手洗いできるように、大便器と手洗器を組み合わせて用いる場合がある。この手洗器には、通常、便器洗浄タンクに給水するタンク給水路を給水源とする吐水装置が取り付けられ、吐水装置からは手洗器の鉢部に向けて吐水される。
【０００３】
この例として、特許文献１には、幅広な範囲を通る滝状の幅広水流を吐水する吐水部を備えた手洗装置が開示されている。同文献の図１には、手洗器に一体成形により吐水部を備え付けた手洗装置が開示されている。また、同文献の図４には、手洗器から上側に延びる部位の先端部に滝状の幅広水流を吐水する部位を設けた手洗装置が開示されている。
【先行技術文献】
【特許文献】
【０００４】
【特許文献１】実登２５５２７７６号公報
【発明の概要】
【発明が解決しようとする課題】
【０００５】
本発明者は、特許文献１の構造に関して検討した。吐水部から幅広水流を吐水する場合、吐水孔に連なる水室等の内部形状が複雑になる。この点を考慮すると、同文献の図１の構造は、製造性の面で改善の余地があった。また、吐水部から幅広水流を吐水する場合、手の広い範囲に水が当たるため、水はねにより飛沫が飛び散り易い。この点を考慮すると、同文献の図４の構造は改善の余地があった。
【０００６】
本発明は、このような課題に鑑みてなされ、その目的は、吐水部から幅広水流を吐水する場合に、良好な製造性を得られ、手洗器の周囲への飛沫の飛び散りを抑えられる手洗装置を提供することにある。
【課題を解決するための手段】
【０００７】
上記課題を解決するための本発明のある態様は手洗装置である。
第１態様の手洗装置は、鉢部を有する手洗器と、便器洗浄タンクに給水するタンク給水路を給水源とする吐水装置と、を備え、前記吐水装置は、幅広な範囲を通る水流を吐水孔から吐水するための吐水部を有し、前記鉢部の内周壁部の一部は前記内周壁部の他部より背高な背高壁部を構成し、前記吐水装置は、前記内周壁部の他部より前記背高壁部の背高な箇所に取り付けられることを特徴とする。
【０００８】
第１態様の手洗装置は、幅広水流を吐水するための吐水部を手洗器ではなく、手洗器とは別体の吐水装置が有している。よって、手洗器に一体成形により吐水部を備え付けるよりも、吐水部の吐水孔に連なる水室等の内部形状を容易に成形でき、良好な製造性を得られる。また、吐水装置は、手洗器の背高壁部の他部より背高な箇所に取り付けられる。よって、手洗いにより手からの水はねが生じた場合でも、その一部を手洗器の背高壁部により受けたうえで排水でき、手洗器の周囲への飛沫の飛び散りを抑えられる。
【発明の効果】
【０００９】
本態様によれば、吐水部から幅広水流を吐水する場合に、良好な製造性を得られ、手洗器の周囲への飛沫の飛び散りを抑えられる手洗装置を提供できる。
【図面の簡単な説明】
【００１０】
【図１】第１実施形態の手洗装置が用いられる便器装置を示す斜視図である。
【図２】第１実施形態の便器装置を示す平面図である。
【図３】第１実施形態の便器装置の給水系の一部を模式的に示す構成図である。
【図４】第１実施形態の手洗装置の側面断面図である。
【図５】第１実施形態の手洗装置の正面図である。
【図６】第１実施形態の手洗装置の一部を拡大した側面断面図である。
【図７】図６のＡ−Ａ線に沿った切断面の一部とともに他の部位の外観を示す部分断面図である。
【図８】図６のＢ−Ｂ線断面図である。
【図９】図６の矢視Ｃから吐水装置を見た図である。
【図１０】図１０（ａ）は、参考例の吐水装置から吐水される水流を上側から見た図であり、図１０（ｂ）は、第１実施形態の吐水装置から吐水される水流を上側から見た図である。
【図１１】第２実施形態の吐水装置を示す図である。
【図１２】第２実施形態の吐水装置から吐水される水流を上側から見た図である。
【図１３】図１３（ａ）は、第３実施形態の吐水装置の吐水孔を示す図であり、図１３（ｂ）は、第３実施形態の吐水装置から吐水される水流を上側から見た図である。
【発明を実施するための形態】
【００１１】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１２】
［第１の実施の形態］
図１は、第１実施形態の手洗装置１０が用いられる便器装置１２を示す斜視図である。図２は、便器装置１２を示す平面図である。
便器装置１２は、主に、便器１４と、ケーシング１６と、便器洗浄タンク１８（以下、単にタンク１８ともいう）と、手洗装置１０とを備える。ケーシング１６は、タンク１８等を収めるための外装体である。ケーシング１６は、タンク１８とともに便器１４に搭載され、その上端部には上端開口部１６ａが形成される。タンク１８は、便器１４の便鉢（不図示）内に供給される洗浄水を貯溜するためのものである。手洗装置１０は、ケーシング１６の上端開口部１６ａに蓋として取り付けられる。手洗装置１０は、便器１４の後部の上方に配置される。
【００１３】
図３は、便器装置１２の給水系の一部を模式的に示す構成図である。
便器装置１２は、タンク給水路２０と、分岐給水路２２とを備える。タンク給水路２０は、タンク１８に給水するための水路である。タンク給水路２０には第１定流量弁２３やボールタップ２４が設置される。第１定流量弁２３は、水源から供給される水を所定の第１流量以下の流量に制限する。第１定流量弁２３は、第１定流量弁２３より水源側の水路部分の圧力変動の影響を抑え、タンク１８内に安定した流量の水を給水するためのものである。ボールタップ２４は、タンク１８内の水位に連動してタンク給水路２０を開閉する。これにより、タンク給水路２０は、タンク１８に対して給水する給水状態と、タンク１８に対する給水を停止する給水停止状態との間で切り替わる。タンク１８内の洗浄水が所定水位を下回るとボールタップ２４が開弁し、タンク給水路２０の下流端部２０ａからタンク１８内に給水される。タンク１８内の洗浄水が所定水位以上になるとボールタップ２４が閉弁し、タンク給水路２０からタンク１８内への給水が停止する。
【００１４】
分岐給水路２２は、手洗装置１０の吐水装置３０に給水するための水路であり、タンク給水路２０から分岐して設けられる。吐水装置３０はタンク給水路２０を給水源としていることになる。分岐給水路２２は、タンク給水路２０のボールタップ２４より下流側の水路部分から分岐している。分岐給水路２２は、タンク給水路２０と同様、タンク１８の水位に連動して、吐水装置３０に対して給水する給水状態と、吐水装置３０に対する給水を停止する給水停止状態との間で切り替わる。分岐給水路２２には第２定流量弁２５が設置される。第２定流量弁２５は、タンク給水路２０の下流端部２０ａからの吐水動作に伴う第１定流量弁２３と第２定流量弁２５との間の水路部分の圧力変動の影響を抑え、吐水装置３０に安定した流量の水を給水するためのものである。
【００１５】
図４は、手洗装置１０の側面断面図である。
手洗装置１０は、手洗器２６と、給水管２８と、吐水装置３０と、を備える。手洗器２６は、手洗器２６の取付相手となるベースとしてのケーシング１６に取り付けられる。詳しくは、手洗器２６は、ケーシング１６の上端開口部１６ａに取り付けられる。手洗器２６は、トイレ室の側壁面１００（図１も参照）の正面側に配置される。
【００１６】
図５は、手洗装置１０の正面図である。
図４、図５に示すように、手洗器２６は、合成樹脂、セラミックス等を素材として一体成形される。手洗器２６は、鉢部２６ａと、外周壁部２６ｂとを有する。外周壁部２６ｂは、鉢部２６ａの上端縁部から下方に延びて形成され、鉢部２６ａを外周側から囲むように設けられる。
【００１７】
鉢部２６ａの底面部には排水孔２６ｃが形成され、鉢部２６ａで受けた水は排水孔２６ｃ等を通してタンク１８内に排水される。鉢部２６ａの内周壁部は、後壁部２６ｄと、後壁部２６ｄの正面側に対向する前壁部２６ｅと、後壁部２６ｄと前壁部２６ｅとを接続する左右の側壁部２６ｆと、を有する。鉢部２６ａの内周壁部の一部をなす後壁部２６ｄは、正面側に対向する他部をなす前壁部２６ｅより背高な第１背高壁部２６ｇを構成する。ここでの「背高な」とは内周壁部の一部の上端縁部が内周壁部の他部の上端縁部より上方にあることをいう。第１背高壁部２６ｇは、第１背高壁部２６ｇの正面側（トイレ室の側壁面１００の正面側）から見て、左右の全長に亘り前壁部２６ｅより背高に設けられる。また、鉢部２６ａの内周壁部の一部をなす左右の側壁部２６ｆは、他部をなす前壁部２６ｅより背高な第２背高壁部２６ｈを構成する。第２背高壁部２６ｈは、前壁部２６ｅから後壁部２６ｄに向かって徐々に背高となるように設けられる。第１背高壁部２６ｇには、鉢部２６ａの前壁部２６ｅより背高な箇所に吐水装置３０が取り付けられる装置取付部２６ｉが設けられる。
【００１８】
図６は、手洗装置１０の一部を拡大した側面断面図である。図７は、図６のＡ−Ａ線に沿った切断面の一部とともに他の部位の外観を示す部分断面図である。
給水管２８は、合成樹脂等の硬質な素材を用いて一体成形される。給水管２８の内部には、前述の分岐給水路２２の一部が形成される。給水管２８は、手洗器２６の第１背高壁部２６ｇの裏面側（外周側）に配置される。給水管２８の上流端部には中継管２９（図４参照）が接続され、中継管２９を介してタンク給水路２０と連通される。給水管２８の下流端部には雄側接続筒部２８ａが設けられる。手洗器２６の装置取付部２６ｉには挿通孔２６ｊが形成され、給水管２８の雄側接続筒部２８ａは挿通孔２６ｊに挿通される。給水管２８は、手洗器２６にビス等の取付具３２により取り付けられる。
【００１９】
吐水装置３０は、ハウジング３４と、カバー３６と、を備える。ハウジング３４は、クリップ等の留め具３８により給水管２８に接続され、給水管２８を介して手洗器２６に取り付けられる。ハウジング３４は、水路が内部に形成される水路形成体であり、給水管２８から給水される水を吐水部４８から吐水するためのものである。ハウジング３４は、給水管２８の雄側接続筒部２８ａが差し込まれる有底筒状の雌側接続筒部３４ａを有する。カバー３６は、ハウジング３４の外側に配置され、ハウジング３４にビス等の固定具４０により固定される。カバー３６は、後述のように、ハウジング３４の大部分を覆うためのものである。
【００２０】
ハウジング３４は、さらに、通水路４４と、水室４６と、吐水部４８と、を有する。通水路４４は、上流側水路となる給水管２８の分岐給水路２２から給水される水を流すための水路である。通水路４４は、分岐給水路２２の水流出口２２ａから流出した水が流入する流入室４４ａと、流入室４４ａと水室４６とを連通する連通水路４４ｂと、を有する。流入室４４ａは、分岐給水路２２の水流出口２２ａより、水流出口２２ａの中心軸線に直交する断面での断面積が大きくなるように形成される。流入室４４ａは、分岐給水路２２の水流出口２２ａに対して、水流出口２２ａからの水の流出方向に設けられる衝突面５１を有する。通水路４４は、分岐給水路２２の水流出口２２ａから流入する水を衝突面５１で衝突させた後、その衝突により流れ方向を変更した水を水室４６に導くように構成される。通水路４４は水室４６に開口する流出口４４ｃを有し、水室４６には通水路４４の流出口４４ｃから横向きに水が流出する。
【００２１】
水室４６は、通水路４４の連通水路４４ｂから流出する水を一時的に溜めるためのものである。水室４６内を水で満たした状態にすることにより、水室４６内の水に水圧をかけた状態で吐水部４８の吐水孔５０から吐水し易くなる。これにより、給水管２８から低流量の水が通水路４４に給水される場合でも、水室４６内が水で満たされた状態になれば、水室４６内での位置によって流速差の少ない水流を吐水部４８から吐水し易くなる。
【００２２】
図８は、図６のＢ−Ｂ線断面図である。
図６、図８に示すように、水室４６は、通水路４４の水が流出する流出口４４ｃより左右に幅広かつ扁平な形状である。水室４６は、通水路４４の流出口４４ｃに近い側に設けられる後側部分４６ｃと、その流出口４４ｃから遠い側に設けられる前側部分４６ｄと、を有する。前側部分４６ｄの下側壁部の一部は吐水部４８を構成する。
【００２３】
図６に示すように、ハウジング３４は、水室４６を画定する壁部の一部分となる上壁部分３４ｂと、水室４６を画定する他の壁部分３４ｃとが別体である。ハウジング３４の他の壁部分３４ｃには上壁部分３４ｂに対応する位置に開口部３４ｄが形成され、ハウジング３４の上壁部分３４ｂは開口部３４ｄを塞ぐように取り付けられる。本実施形態のハウジング３４の上壁部分３４ｂは溶着により形成される溶着部を介してハウジング３４の他の壁部分３４ｃに固定される。
【００２４】
図９は、図６の矢視Ｃから吐水装置３０を見た図である。矢視Ｃは吐水部４８の吐水方向Ｃ（吐水孔５０の中心軸線ＣＬ１に沿った一方向）とは反対方向でもある。
図６、図９に示すように、吐水部４８は、水室４６に溜められる水を吐水孔５０から吐水するためのものである。吐水部４８は、ハウジング３４の外内を隔てる壁部の一部を構成する。吐水部４８は、手洗器２６の鉢部２６ａの底側に臨むように配置され、吐水孔５０から下向きに吐水する。吐水部４８は、ハウジング３４の周囲に連なる他の壁部３４ｃより外側に突き出るように形成される。カバー３６は吐水部４８の外周形状に対応する内周形状の嵌込部３６ａを有し、ハウジング３４の吐水部４８はカバー３６の嵌込部３６ａに嵌め込まれる。
【００２５】
ここで、手洗器２６の第１背高壁部２６ｇを正面側から見て左右となる水平方向を左右方向Ａとし、左右方向Ａと直交する水平方向を前後方向Ｂとする。横方向Ａは便器１４の左右方向でもある。以下、これら左右方向Ａ、前後方向Ｂを基準として、吐水部４８の吐水孔５０の位置関係を説明する。前後方向Ｂは第１背高壁部２６ｇの正面側が前側Ｆ、正面側とは反対側が後側Ｒであるとする。
【００２６】
吐水部４８には吐水孔５０が形成される。吐水孔５０は複数の孔列５４Ａ、５４Ｂにより構成される。孔列５４Ａ、５４Ｂのそれぞれは複数の孔５２を線状に並べて構成される。孔列５４Ａ、５４Ｂには前後に並ぶ前側Ｆの第１孔列５４Ａと後側Ｒの第２孔列５４Ｂとが含まれる。孔列５４Ａ、５４Ｂの各孔５２からは鉢部２６ａの底側に向けてシャワー状の水流が吐水される。以下、第１孔列５４Ａと第２孔列５４Ｂとを総称するときは単に「孔列５４Ａ、５４Ｂ」という。
【００２７】
吐水孔５０は、幅広な範囲Ｓａを通る幅広水流を吐水するように設けられる。このような条件を満たすため、吐水孔５０の複数の孔列５４Ａ、５４Ｂは、吐水部４８の吐水方向とは反対方向（矢視Ｃ）から吐水部４８の外面をみたとき、幅広な矩形線（範囲Ｓａの境界線）の四辺に内接するように設けられる。この幅広な矩形線は吐水方向と直交する二方向のうちの一方向Ｄを長手方向とし、他方向Ｅを短手方向とする。本実施形態では長手方向Ｄは左右方向Ａと平行であり、短手方向Ｅは前後方向Ｂと平行である。
【００２８】
孔列５４Ａ、５４Ｂは、左右方向Ａの両側が後側Ｒに向けて延び、左右方向Ａの中央側が前側Ｆに凸の形状をなすように設けられる。これは、孔列５４Ａ、５４Ｂの孔５２は、左右方向Ａの両側が後側Ｒに向けて延び、その中央側が前側Ｆに凸状の形状をなすように線状に並んで設けられることを意味する。本図では、説明の便宜のため、孔列５４Ａ、５４Ｂの孔５２が仮想線Ｌａに沿って線状に並んでいるものとし、その仮想線Ｌａを図示する。本実施形態の孔列５４Ａ、５４Ｂは、全体としてＵ字状をなすように設けられる。つまり、全体としてＵ字状をなすように線状に並んで設けられる。また、孔列５４Ａ、５４Ｂのそれぞれは、左右方向Ａの中央側から両側に向かって延びる一本の線状をなす位置にあるように設けられる。また、孔列５４Ａ、５４Ｂの孔５２は略同一のピッチで線状に並んで設けられる。
【００２９】
吐水部４８は、孔列５４Ａ、５４Ｂの左右方向Ａ両側において前後に線状に並ぶ孔５２に挟まれた中間領域Ｓｂに吐水孔５０が形成されないように構成される。吐水部４８は、この中間領域Ｓｂを左右両側及び前側Ｆから囲むように孔列５４Ａ、５４Ｂが設けられることになる。これにより、この中間領域Ｓｂに吐水孔５０を形成するよりも、吐水装置３０に給水すべき水の流量を抑えられ、少ない流量での手洗いを実現し易くなる。
【００３０】
また、吐水部４８は、この中間領域Ｓｂに対して後側Ｒには吐水孔５０が形成されないように構成される。吐水部４８は、この中間領域Ｓｂに対して左右方向Ａ両側に孔列５４Ａ、５４Ｂの両末端側の孔５２が設けられることになる。これにより、この中間領域Ｓｂの後側に吐水孔５０を形成するよりも、吐水装置３０に給水すべき水の流量を抑えられ、少ない流量での手洗いをより実現し易くなる。
【００３１】
孔列５４Ａ、５４Ｂは、横方向Ａの中央側の第１列５６Ａと、横方向Ａの両側の二つの第２列５６Ｂとを有する。孔列５４Ａ、５４Ｂは、第１列５６Ａと第２列５６Ｂとにより、Ｕ字状をなすように線状に並んで設けられる。第１列５６Ａは横方向に孔５２が直線状に並んで設けられ、第２列５６Ｂは斜め前側に向かって凸となるように湾曲する曲線状に並んでいる。
【００３２】
前後に隣り合う第１孔列５４Ａと第２孔列５４Ｂとの一部の孔５２は、別々の孔列５４Ａ、５４Ｂの孔５２が左右方向Ａに向かって交互に位置するように千鳥状に配置される。第１孔列５４Ａと第２孔列５４Ｂとの一部の孔５２は、前後方向Ｂに沿った方向の前方側から見て、別々の孔列５４Ａ、５４Ｂの一部の孔５２が左右に交互に位置するように配置されるともいえる。ここでの一部の孔５２とは、第１孔列５４Ａの第１列５６Ａの孔５２と、第２孔列５４Ｂの第１列５６Ａの孔５２である。また、後側の第２孔列５４Ｂの第２列５６Ｂの孔５２は、斜め前側（図の方向Ｆ）から見て、前側の第１孔列５４Ａの第２列５６Ｂの孔５２の間に位置するように千鳥状に配置される。ここでいう斜め前側から見てとは、第１孔列５４Ａ、第２孔列５４Ｂを含む範囲の左右中心線ＣＬに対して４５°をなす方向Ｆから見たときをいう。
【００３３】
本実施形態の孔列５４Ａ、５４Ｂはすべての孔５２の中心軸線が略平行となるように設けられる。これにより、孔列５４Ａ、５４Ｂのすべての孔５２からの吐水方向がほぼ同方向となり、孔５２から吐水される各水流の広がりを抑えられる。
【００３４】
以上の手洗装置１０の作用効果を説明する。
手洗装置１０は、幅広水流を吐水するための吐水部４８を手洗器２６ではなく、手洗器２６とは別体の吐水装置３０が有している。よって、手洗器２６に一体成形により吐水部４８を備え付けるよりも、吐水部４８の吐水孔５０に連なる水室４６等の複雑な内部形状を容易に成形でき、良好な製造性を得られる。特に、本実施形態の手洗装置１０は、水室４６を画定する上壁部分３４ｂと他の壁部分３４ｃとが別体であるため、水室４６を更に容易に成形できる利点がある。
【００３５】
また、吐水装置３０は、手洗器２６の第１背高壁部２６ｇの前壁部２６ｅより背高な箇所に取り付けられる。よって、手洗器２６の底部と吐水装置３０の吐水部４８との間に高さ寸法の大きい手洗空間を確保し易くなり、手洗いをし易くなる。また、手洗いにより手からの水はねが生じた場合でも、その一部を手洗器２６の第１背高壁部２６ｇにより受けたうえで手洗器２６の排水孔２６ｃから排水でき、手洗器２６の周囲への飛沫の飛び散りを抑えられる。
【００３６】
第１実施形態の手洗装置１０は次の点でも利点がある。手洗いをするとき、使用者は、通常、両手全体を水で濡らしてから、両手の手の平同士をこすり合わせたり、両手の組んだ指同士をこすり合わせる動作をする。ここで、両手全体を水で濡らすため、両手の手先や手首の位置を大まかに合わせた状態で、吐水装置３０から吐水される水流に両手を当てることがある。この状態のもと、両手それぞれに手の長手方向で同じような位置に水流が当たる場合、両手を同じ長手方向に動かすだけで両手全体を水で濡らすことができ、それだけ手洗いをし易くなる。
【００３７】
ここで、図２に示すように、使用者１０２は、手洗いをし易くするため、便器１４の側方に少なくとも片足を置いた状態で、手洗器２６の第１背高壁部２６ｇに対して斜め前側から両手を近づける場合がある。
【００３８】
図１０（ａ）は、参考例の吐水装置から吐水される水流列５８を上側から見た図である。
参考例の吐水装置は、孔列５４の孔５２が手洗器２６の第１背高壁部２６ｇの正面側で左右方向に沿って直線状に並んでいる。このような孔列５４からは左右方向に沿って線状に並ぶ水流からなる水流列５８が吐水される。手洗器２６の斜め前側から両手を近づけて、手先や手首の位置を大まかに合わせた両手１０４にこのような水流列５８の水流を当てる場合、両手１０４それぞれに手の長手方向Ｐａで偏りのある位置に水流が当たり易くなる。よって、両手全体を水で濡らすために、一方の手（図では左手）を他方の手より手先側に大きく動かす等する必要が生じ、それだけ手洗いをし難くなる。
【００３９】
図１０（ｂ）は、第１実施形態の吐水装置３０から吐水される水流６０Ａ、６０Ｂを上側から見た図である。
第１実施形態の吐水装置３０の孔列５４Ａ、５４Ｂは、左右方向Ａの両側が後側Ｒに向けて延び、左右方向Ａの中央側が前側Ｆに凸状の形状をなすように設けられる。このような孔列５４からは、孔列５４の配列態様と同様の配列態様で線状に並ぶ水流からなる複数の水流列６０が吐水される。これら水流列６０に斜め前側から両手１０４を近づけるように配置した場合、両手１０４それぞれで手の長手方向Ｐａで同じような位置に水流列６０の水流を当て易くなる。よって、手先や手首の位置を大まかに合わせた両手１０４を同じ長手方向Ｐａに動かすだけで、両手１０４全体を水で濡らすことができ、それだけ手洗いをし易くなる。
【００４０】
仮に、孔列５４Ａ、５４Ｂのそれぞれが枝分かれする線状をなすように設けられる場合を考える。この場合、孔列５４Ａ、５４Ｂの枝分かれ箇所に斜め前側から両手１０４を近づけるように配置した場合、一方の手１０４の手首側に多くの水が当たり易くなる。よって、裾の長い上着を着ているとき、注意しなければ上着の裾が濡れてしまう。
【００４１】
この点、本実施形態によれば、孔列５４Ａ、５４Ｂのそれぞれは、左右方向Ａの中央側から両側に向かって延びる一本の線状をなす位置にあるように設けられる。よって、孔列５４Ａ、５４Ｂから吐水される水流列６０に斜め前側から両手１０４を近づけるように配置した場合、一方の手には手首側に多くの水が当たる事態を防止でき、更に手洗いをし易くなる。
【００４２】
また、孔列５４Ａ、５４Ｂは前後に複数並んでいるため、それだけ広い範囲に吐水でき、水が手に当たる範囲を広げることで手洗し易くなる。
【００４３】
また、吐水孔５０はシャワー状の水流を吐水する孔列５４Ａ、５４Ｂであるため、吐水孔５０をスリットとするよりも、吐水孔５０の孔断面積を小さくできる。よって、吐水装置３０に小流量の水しか給水されなくとも、きれいなシャワー状の水流を吐水孔５０から吐水し易くなる。特に、タンク給水路２０には第１定流量弁２３（図３参照）が設置されるため、タンク給水路２０から吐水装置３０に大流量の水を給水し難いという前提がある。この前提のもとで、きれいなシャワー状の水流を吐水するため、分岐給水路２２を第１定流量弁２３より上流側から分岐させる手段もあるが、その場合、分岐給水路２２を開閉するための弁機構がボールタップ２４とは別に必要になる。この点、本実施形態によれば、別の弁機構を用いることなく、きれいなシャワー状の水流を吐水孔５０から吐水できる点で利点がある。
【００４４】
また、前後に隣り合う第１孔列５４Ａ及び第２孔列５４Ｂの一部の孔５２は千鳥状に配置される。よって、吐水部４８から吐水される水流を前側から見たとき、第１孔列５４Ａの孔５２から吐水される水流の間を第２孔列５４Ｂの孔５２から吐水される水流が通るような状況を実現できる。このため、吐水部４８から吐水される水流により奥側を見え難くすることで、比較的に流量の少ないシャワー状の水流であっても、さながら滝状の水流が吐水されているかのような状況を実現し易くなり、良好な意匠性を得られる。
【００４５】
特に、滝状の水流を視覚的に実現するため、単一の孔列５４Ａの孔５２間のピッチを狭くすると、それぞれの孔５２から吐水される水流が合流してしまい、かえって意匠性を損なう可能性がある。この点、本実施形態によれば、各孔列５４の孔５２間のピッチを広くできるため、各孔５２から吐水される水流の合流を防止しつつ、滝状の水流を視覚的に実現できる点で大きな利点がある。
【００４６】
手洗装置１０の他の特徴を説明する。
図６を参照する。吐水装置３０の吐水孔５０の水導出口５０ａは、手洗器２６の第１背高壁部２６ｇの正面側において、第１背高壁部２６ｇの上端２６ｇａより鉛直方向の下側に設けられる。吐水孔５０の水導出口５０ａは、手洗器２６の鉢部２６ａの上端縁部のなかで最も高位置にある第１背高壁部２６ｇの上端２６ｇａより鉛直方向の下側に設けられることになる。この条件は吐水孔５０を構成する孔列５４Ａ、５４Ｂの全ての孔５２が満たしている。なお、この吐水孔５０は手洗器２６の鉢部２６ａの上端縁部のなかで最も低位置にある前壁部２６ｅの上端２６ｅａ（図４参照）より鉛直方向の上側に設けられる。この利点を説明する。
【００４７】
吐水孔５０には水導出口５０ａ周りに水垢等の異物が付着する場合がある。この場合、吐水部４８から吐水される水が異物と当たることで、吐水孔５０の水導出口５０ａ周りに飛沫が飛び散る恐れがある。また、吐水装置３０の吐水部４８をブラシで清掃する場合も、吐水孔５０の水導出口５０ａ周りにブラシから飛沫が飛び散る恐れがある。
【００４８】
この点、本実施形態によれば、吐水孔５０の水導出口５０ａが手洗器２６の第１背高壁部２６ｇの上端２６ｇａより下側に設けられている。よって、吐水孔５０の水導出口５０ａ周りに飛沫が飛び散った場合でも、手洗器２６の第１背高壁部２６ｇにより飛沫を受け易くなり、手洗器２６の鉢部２６ａ外への飛沫の飛び散りを抑えられる。特に、手洗器２６の第１背高壁部２６ｇの背面側にあるトイレ室の側壁面１００への飛沫の飛び散りを抑えられる点で利点がある。
【００４９】
吐水装置３０の上面部は、手洗器２６の第１背高壁部２６ｇの正面側において、第１背高壁部２６ｇの上端２６ｇａより鉛直方向の下側に設けられる。吐水装置３０の上面部は、手洗器２６の鉢部２６ａの上端縁部のなかで最も高位置にある第１背高壁部２６ｇの上端２６ｇａより鉛直方向の下側に設けられることになる。この利点を説明する。
【００５０】
手洗装置１０を運搬するとき、施工現場での作業性を高める観点から、手洗器２６に吐水装置３０を組み付けたものを梱包した状態で運搬する場合がある。この場合、手洗器２６の第１背高壁部２６ｇの上端２６ｇａより上側に吐水装置３０の一部が設けられていると、段ボール、緩衝材等の梱包資材と吐水装置３０が干渉し易くなる。
【００５１】
この点、本実施形態によれば、手洗器２６の第１背高壁部２６ｇの上端２６ｇａより吐水装置３０が下側に設けられている。よって、手洗器２６に吐水装置３０を組み付けたものを梱包した状態で運搬する場合に、梱包資材と吐水装置３０との干渉を抑え易くなり、梱包作業での作業性が良好になる。また、梱包物に上側から荷重が加えられた場合に、吐水装置３０ではなく手洗器２６に荷重が伝わり易くなるため、外部荷重から吐水装置３０を保護し易くもなる。
【００５２】
吐水装置３０の吐水部４８の外面は平坦に形成されている。これは、吐水部４８の外面は吐水孔５０の周縁部に凹凸がなく平坦に形成されていることを意味する。これにより、吐水部４８の外面を布等でぬぐうとき、吐水孔５０の周縁部に布等をひっかけずに作業でき、良好な清掃性を得られる。
【００５３】
カバー３６は、ハウジング３４の吐水部４８以外の範囲を覆っている。カバー３６は、第１背高壁部２６ｇの正面側、横方向両側（後述する）、更には上側から見て、ハウジング３４が外部に露出しないように覆う。カバー３６は、ハウジング３４の水室４６を形成する前側壁部分３４ｅと、ハウジング３４の通水路４４を形成する後側壁部分３４ｆとの両方を覆う。ハウジング３４は、前側壁部分３４ｅと後側壁部分３４ｆとの間で寸法が変化する。本実施形態によれば、このような寸法が変化する箇所をカバー３６により覆い隠すことができるため、ハウジング３４の内形や外形によらない外装を得られ、良好な意匠性を得やすくなる。
【００５４】
前述のように、通水路４４は、上流側水路２２の水流出口２２ａから流入する水を衝突面５１と衝突させた後、その衝突により流れ方向を変更した水を連通水路４４ｂに導くように構成される。通水路４４に流入する水を衝突面５１と衝突させることにより、その水の流速を減少させることができる。また、通水路４４の流入室４４ａは、分岐給水路２２の水流出口２２ａより断面積が大きくなるように形成されるため、衝突面５１と衝突した水を流入室４４ａ内の広い範囲に大きく拡散させることで、更に流速を減少させることができる。水室４６には、衝突面５１との衝突により、分岐給水路２２の水流出口２２ａから流出した時点より流速の減少した水が通水路４４の流出口４４ｃから流出される。つまり、通水路４４は、衝突面５１に水を衝突させることにより、上流側水路２２から流入する水の流速を減少させた状態で水室４６に流出させるように構成されているといえる。
【００５５】
このように構成するうえで、通水路４４の衝突面５１に衝突してから通水路４４の流出口４４ｃから流出するまでの間に水が流れる水路の長さが長すぎると、その内部を水が流れる過程で流速減少効果が低減してしまう恐れがある。このため、この長さは、分岐給水路２２の水流出口２２ａから流出した時点の流速より、通水路４４の流出口４４ｃから流出する時点での流速が小さくなるような所定長さに設定される。この長さは実験、解析等により求めればよい。
【００５６】
本実施形態の吐水装置３０によれば、通水路４４内を流れる水を衝突面５１に衝突させることにより、その水の流速を減少させてから水室４６に流出させることができる。よって、給水管２８から通水路４４に過度に流速の速い水が流入した場合でも、通水路４４から水室４６内に過度に流速の速い水が流出するのを防止できる。これにより、水室４６内での位置による流速分布の偏りを抑えられ、吐水部４８から吐水される水流の流量分布を均一化し易くでき、全体としてきれいな吐水流を得やすくなる。この効果は、水室４６内に水が溜まりきっていない増水段階において、特に効果的に得られる。また、この効果は、吐水装置３０に給水される水の流量が少なく、増水段階が長く続くような場合でも、吐水部４８から吐水される水流の流速分布を長期に亘り均一化できる点で、特に有効な効果として得られる。
【００５７】
［第２の実施の形態］
図１１は第２実施形態の吐水装置３０を示す図である。図１１は第１実施形態と同じ矢視Ｃから第２実施形態の吐水装置３０を見た図である。
第１実施形態の吐水孔５０は、シャワー状の水流を吐水するための複数の孔列５４Ａ、５４Ｂにより構成される例を説明した。第２実施形態の吐水孔５０は、膜状の水流を吐水するための複数のスリット６２Ａ、６２Ｂにより構成される。スリット６２Ａ、６２Ｂには前後に並ぶ前側Ｆの第１スリット６２Ａと後側Ｒの第２スリット６２Ｂとが含まれる。以下、第１スリット６２Ａと第２スリット６２Ｂを総称するときは単に「スリット６２Ａ、６２Ｂ」という。
【００５８】
スリット６２Ａ、６２Ｂは、左右両側が後側Ｒに向けて延び、左右中央側が前側Ｆに凸状の形状をなすように設けられる。これは、スリット６２Ａ、６２Ｂは、左右方向Ａの両側が後側に向けて延び、その中央側が前側に凸状をなすように延在することを意味する。本実施形態のスリット６２Ａ、６２Ｂは、全体としてＵ字状をなす位置にあるように設けられる。つまり、全体としてＵ字状をなすように延在する。また、スリット６２Ａ、６２Ｂのそれぞれは、左右方向Ａの中央側から両側に向かって延びる一本の線状をなす位置にあるように設けられる。
【００５９】
吐水部４８は、スリット６２Ａ、６２Ｂの左右方向Ａ両側において前後に延在する側部に挟まれた中間領域Ｓｂに吐水孔５０が形成されないように構成される。吐水部４８は、この中間領域Ｓｂを左右両側及び前側Ｆから囲むようにスリット６２Ａ、６２Ｂが設けられることになる。また、吐水部４８は、この中間領域Ｓｂに対して後側Ｒには吐水孔５０が形成されないように構成される。吐水部４８は、この中間領域Ｓｂに対して左右方向Ａ両側にスリット６２Ａ、６２Ｂの両端が位置するように設けられることになる。
【００６０】
スリット６２Ａ、６２Ｂは、左右に延在する第１延在部６４Ａと、前後に延在する二つの第２延在部６４Ｂと、を有する。スリット６２Ａ、６２Ｂは、第１延在部６４Ａと二つの第２延在部６４ＢとによりＵ字状をなす。第１延在部６４Ａは左右に直線状に延在しており、第２延在部６４Ｂは斜め前側に向かって凸となるように湾曲するよう曲線状に延在している。
【００６１】
図１２は第２実施形態の吐水装置３０から吐水される膜状水流６６を上側から見た図である。
第２実施形態の吐水装置３０のスリット６２Ａ、６２Ｂは、左右方向Ａの両側が後側Ｒに向けて延び、左右方向Ａの中央側が前側Ｆに凸状の形状をなすように設けられる。このようなスリット６２Ａ、６２Ｂからは、スリット６２Ａ、６２Ｂの断面形状と同様の断面形状をもつ複数の膜状水流６６が吐水される。この膜状水流６６に斜め前側から両手１０４を近づけるように配置した場合、両手１０４それぞれで手の長手方向Ｐａで同じような位置に膜状水流６６を当て易くなる。よって、手先や手首の位置を大まかに合わせた両手１０４を同じ長手方向Ｐａに動かすだけで、両手１０４全体を水で濡らすことができ、それだけ手洗いをし易くなる。
【００６２】
［第３の実施の形態］
図１３（ａ）は、第３実施形態の吐水装置３０の吐水孔５０を示す図である。図１３（ａ）は第１実施形態と同じ矢視Ｃから第３実施形態の吐水孔５０を見た図である。
第１実施形態の吐水孔５０の孔列５４Ａ、５４ＢはＵ字状をなす位置にあるように設けられる例を説明した。第２実施形態の吐水孔５０の孔列５４Ａ、５４Ｂは、全体としてＶ字状をなす位置にあるように設けられる。この場合でも、孔列５４Ａ、５４Ｂは、左右方向Ａの両側が後側に向けて延び、左右方向Ａの中央側が前側に凸状の形状をなすように設けられる。
【００６３】
図１３（ｂ）は、第３実施形態の吐水装置３０から吐水される水流５９を上側から見た図である。
第３実施形態の吐水装置３０の孔列５４Ａ、５４Ｂからも、第１実施形態と同様、孔列５４Ａ、５４Ｂの配列態様と同様の配列態様で線状に並ぶ複数の水流からなる水流列５８が吐水される。これら水流列５８に斜め前側から両手１０４を近づけるように配置した場合、両手１０４それぞれで手の長手方向Ｐａで同じような位置に水流を当て易くなる。よって、手先や手首の位置を大まかに合わせた両手１０４を同じ長手方向Ｐａに動かすだけで、両手１０４全体を水で濡らすことができ、それだけ手洗いをし易くなる。
【００６４】
以上のように、孔列５４Ａ，５４Ｂは、手洗いをし易くする観点からは、左右方向Ａの両側が後側Ｒに向けて延び、左右方向Ａの中央側が前側Ｆに凸状の形状をなすように設けられていればよい。これを実現するため、孔列５４Ａ、５４Ｂは、たとえば、全体として、Ｕ字状、Ｖ字状、半円状、環状をなすように設けられていてもよい。スリット６２Ａ、６２Ｂも同様である。
【００６５】
また、前述のように、少ない流量での手洗いを実現する観点からは、吐水部４８は前述の中間領域Ｓｂの後側に吐水孔５０が形成されないように構成されると好ましい。これを実現するため、孔列５４Ａ、５４Ｂは、たとえば、全体として、Ｕ字状、Ｖ字状、半円状をなす位置にあるように設けられてもよい。スリット６２Ａ、６２Ｂも同様である。
【００６６】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００６７】
手洗器２６は、ケーシング１６の上端開口部１６ａに取り付けられる例を説明したが、その取付位置は特に限定されない。手洗器２６は、たとえば、タンク１８の上端開口部に蓋として取り付けられてもよいし、キャビネットのカウンター上に取り付けられてもよい。この場合、手洗器２６の取付相手となるベースはタンク１８やカウンターになる。また、手洗器２６は、ケーシング１６と一体成形により設けられていてもよい。
【００６８】
また、手洗器２６がケーシング１６やタンク１８の上端開口部に蓋として取り付けられる場合、手洗装置１０は便器１４の後部の上方に配置されることになる。このとき、手洗装置１０は、平面視において、便器１４の左右中心線ＣＬ２上に位置するように配置される。手洗器２６がキャビネットのカウンター上に取り付けられる場合、手洗装置１０は便器１４の後方に配置されることになる。このとき、手洗装置１０は、平面視において、便器１４の左右中心線ＣＬ２上に位置するように配置されてもよいし、左右中心線ＣＬ２から左右にずれた便器１４の斜め後側に配置されてもよい。いずれにしても、手洗装置１０は、便器１４の後部の上方又は便器１４の後方に配置されてもよい。
【００６９】
吐水装置３０は、手洗器２６の第１背高壁部２６ｇの正面側に面する箇所に取り付けられる例を説明した。この他にも、手洗器２６の第１背高壁部２６ｇに上側に面する平坦な座面を設け、その座面上に取り付けてもよい。いずれにしても、鉢部２６ａの内周壁部の他部より第１背高壁部２６ｇの背高な箇所に取り付けられていればよい。
【００７０】
また、吐水装置３０の吐水部４８は吐水孔５０から下向きに吐水する例を説明したが、これに限定されず、たとえば、吐水孔５０から横向きに吐水してもよい。また、吐水装置３０は手洗器２６の第１背高壁部２６ｇの上端２６ｇａより下側に設けられる例を説明したが、これより上側に設けられてもよい。同様に、吐水装置３０の吐水孔５０の水導出口５０ａは、手洗器２６の第１背高壁部２６ｇの上端２６ｇａより下側に設けられる例を説明したが、これより上側に設けられてもよい。
【００７１】
また、吐水部４８は幅広な範囲を通る幅広水流を吐水できればよく、吐水部４８の吐水孔５０は孔列５４Ａ、５４Ｂやスリット６２Ａ、６２Ｂに限られない。また、この条件を満たすのであれば、孔列５４Ａ、５４Ｂは、Ｕ字状、Ｖ字状、半円状、環状の他に、Ｔ字状、Ｌ字状、直線状等をなす位置にあるように設けられていてもよい。スリット６２Ａ、６２Ｂも同様である。
【００７２】
また、第１実施形態の吐水孔５０は、前後に並ぶ孔列５４Ａ、５４Ｂを有する例を説明したが、単一列の孔列５４Ａのみを有してもよいし、三列以上の孔列を有してもよい。同様に、第２実施形態の吐水孔５０は、前後に並ぶスリット６２Ａ、６２Ｂを有する例を説明したが、単一列のスリット６２Ａのみを有してもよいし、三列以上のスリットを有してもよい。
【００７３】
ハウジング３４は、通水路４４、水室４６及び吐水部４８を有する水路形成体として説明した。この水路形成体は、水路形成体の外側に配置されるカバー３６により、吐水部４８以外の範囲が覆われる例を説明した。この他にも、この水路形成体は、手洗器２６の第１背高壁部２６ｇ等により、吐水部４８以外の範囲が覆われてもよい。たとえば、手洗器２６の第１背高壁部２６ｇに水路形成体の吐水部４８のみが露出する開口部を形成し、その開口部内に吐水部４８を配置し、他の部位が外部に露出しないようにすることで、吐水部４８以外の範囲を覆ってもよい。また、この他にも、水路形成体は、カバー３６と手洗器２６との両方により覆われていてもよい。
【００７４】
通水路４４は、上流側水路２２から流入する水を衝突面５１と衝突させることにより、その水を減速させた状態で水室４６に流出させるように構成される例を説明した。このように構成するうえで、上流側水路２２から流入する水を減速させるための手段は特に限定されない。たとえば、通水路４４の流入室４４ａに衝突面５１を形成せず、通水路４４の流入室４４ａが上流側水路２２の水流出口２２ａより断面積が大きくなるように形成するのみでもよい。この場合でも、上流側水路２２から通水路４４の流入室４４ａ内に流入した時点で、断面積の変化により、上流側水路２２から流入する水を減速させることができる。
【００７５】
以上の実施形態、変形例により具体化される発明を一般化すると、以下の技術的思想が導かれる。以下、発明が解決しようとする課題に記載の態様を用いて説明する。
【００７６】
第２態様の手洗装置は、第１の態様において、前記吐水孔は、複数の孔が線状に並べられた孔列、又は、スリットであり、前記孔列又は前記スリットは、左右両側が前記背高壁部の正面側とは反対側となる後側に向けて延び、左右中央側が前記背高壁部の正面側となる前側に凸状の形状をなすように設けられてもよい。
この態様によれば、吐水装置の孔列又はスリットからは、孔列の配列態様と同様の配列態様の水流列、又は、スリットの断面形状と同様の断面形状の膜状水流が吐水される。この水流列又は膜状水流に斜め前側から両手を近づけるように配置した場合、両手それぞれで手の長手方向で同じような位置に水流を当て易くなる。よって、手先や手首の位置を大まかに合わせた両手を同じ長手方向に動かすだけで、両手全体を水で濡らすことができ、それだけ手洗いをし易くなる。
【００７７】
第３態様の手洗装置は、第２態様において、前記吐水部は、前記孔列の左右両側の孔又は前記スリットの左右両側部に挟まれた中間領域に吐水孔が形成されないように構成されてもよい。
この態様によれば、この中間領域に吐水孔を形成するよりも、吐水装置に給水すべき水の流量を抑えられ、少ない流量での手洗いを実現し易くなる。
【００７８】
第４態様の手洗装置は、第３態様において、前記吐水部は、前記中間領域に対して後側に前記吐水孔が形成されないように構成されてもよい。
この態様によれば、この中間領域の後側に吐水孔を形成するよりも、吐水装置に給水すべき水の流量を抑えられ、少ない流量での手洗いをより実現し易くなる。
【００７９】
第５態様の手洗装置は、第１態様から第４態様のいずれかにおいて、前記吐水孔は、複数の孔が線状に並べられた孔列、又は、スリットであり、前記孔列又は前記スリットは複数並んでいてもよい。
この態様によれば、孔列又はスリットは複数並んでいるため、それだけ広い範囲に吐水でき、水が手に当たる範囲を広げることで手洗し易くなる。
【００８０】
第６態様の手洗装置は、第１態様から第５態様のいずれかにおいて、前記吐水孔は、複数の孔が線状に並べられた孔列であり、前記孔列は、前記背高壁部の正面側となる前側から見て前後に複数並んでおり、前記複数の孔列のうち前後に隣り合う孔列それぞれの少なくとも一部の孔は、別々の孔列の孔が左右方向に向かって交互に位置するように千鳥状に配置されてもよい。
この態様によれば、比較的に流量の少ないシャワー状の水流であっても、さながら滝状の水流が吐水されているかのような状況を実現し易くなり、良好な意匠性を得られる。
【００８１】
第７態様の手洗装置は、第１態様から第６態様のいずれかにおいて、前記吐水孔の水導出口は、前記背高壁部の上端より下側に設けられてもよい。
この態様によれば、吐水孔の水導出口周りに飛沫が飛び散った場合でも、手洗器の背高壁部により飛沫を受けやすくなり、手洗器の鉢部外への飛沫の飛び散りを抑えられる。
【００８２】
第８態様の手洗装置は、第１態様から第７態様のいずれかにおいて、前記吐水装置は、前記背高壁部の上端より下側に設けられてもよい。
この態様によれば、手洗器に吐水装置を組み付けたものを梱包した状態で運搬する場合に、梱包資材と吐水装置との干渉を抑え易くなり、梱包作業での作業性が良好になる。
【００８３】
第９態様の手洗装置は、第１態様から第８態様のいずれかにおいて、前記吐水装置は、水路が内部に形成される水路形成体を備え、前記水路形成体は、上流側水路から水が流入する通水路と、前記通水路から流出する水を一時的に溜めて前記吐水孔から吐水するための水室と、前記吐水部と、を有し、前記水路形成体は、前記水路形成体の外側に配置されるカバー又は前記手洗器の何れか一方又は両方により、前記吐水部以外の範囲が覆われてもよい。
水路形成体は、通水路を形成する壁部分と水室を形成する壁部分との間で寸法が変化する。この態様によれば、そのような寸法が変化する箇所を覆い隠すことができるため、水路形成体の外形によらない外装を得られ、良好な意匠性を得やすくなる。
【００８４】
第１０態様の手洗装置は、第１態様から第９態様のいずれかにおいて、前記吐水装置は、上流側水路から水が流入する通水路と、前記通水路から流出する水を一時的に溜めて前記吐水孔から吐水するための水室と、を有し、前記通水路は、前記上流側水路から流入する水を減速させた状態で前記水室に流出させるように構成されてもよい。
この態様によれば、上流側水路から通水路に過度に流速の速い水が流入した場合でも、通水路から水室内に過度に流速の速い水が流出するのを防止できる。これにより、水室内での位置による流速分布の偏りを抑えられ、吐水部から吐水される水流の流量分布を均一化し易くできる。
【００８５】
なお、上述の実施形態、変形例により具体化される発明には、以下の項目に記載の発明が含まれているともいえる。
（項目１）
鉢部を有する手洗器と、
便器洗浄タンクに給水するタンク給水路を給水源とする吐水装置と、を備え、
前記吐水装置は、吐水孔から吐水するための吐水部を有し、
前記吐水孔の水導出口は、前記鉢部の上端より下側に設けられることを特徴とする手洗装置。
（項目２）
鉢部を有する手洗器と、
便器洗浄タンクに給水するタンク給水路を給水源とする吐水装置と、を備え、
前記吐水装置は、前記鉢部の上端より下側に設けられることを特徴とする手洗装置。
【符号の説明】
【００８６】
１０…手洗装置、１４…便器、１８…タンク、１８…便器洗浄タンク、２０…タンク給水路、２６…手洗器、２６ａ…鉢部、２６ｇ…背高壁部、２６ｇａ…上端、３０…吐水装置、３４…ハウジング（水路形成体）、４８…吐水部、５０…吐水孔、５０ａ…水導出口、５２…孔、５４Ａ，５４Ｂ…孔列、５６Ａ…第１列、５６Ｂ…第２列、６２Ａ，６２Ｂ…スリット、６４Ａ…第１延在部、６４Ｂ…第２延在部。
【図１】
2017119987.tif 000003
【図２】
2017119987.tif 000004
【図３】
2017119987.tif 000005
【図４】
2017119987.tif 000006
【図５】
2017119987.tif 000007
【図６】
2017119987.tif 000008
【図７】
2017119987.tif 000009
【図８】
2017119987.tif 000010
【図９】
2017119987.tif 000011
【図１０】
2017119987.tif 000012
【図１１】
2017119987.tif 000013
【図１２】
2017119987.tif 000014
【図１３】
2017119987.tif 000015